(57)【要約】【課題】より高い階調性を得られる表示装置を提供する。【解決手段】表示装置は、第１副画素、第２副画素、第３副画素及び第４副画素を備え、これら第１〜第４副画素は、それぞれ大きさが異なるＮ個の分割画素に分割されており、駆動するＮ個の分割画素の組み合わせでＮビットの階調表示が可能であり、２種類の副画素を組み合わせる混合色の階調表示は、Ｎビットの階調表示と中間階調表示を含み、中間階調表示は、第１の階調表示と第２の階調表示の間の階調表示であり、第１の階調表示及び第２の階調表示は、２種類の副画素の各々で駆動される分割画素と駆動されない分割画素との面積比が等しく、第２の階調表示は、第１の階調表示よりも駆動される分割画素の面積比率が大きく、中間階調表示は、駆動される分割画素と駆動されない分割画素との面積比が２種類の副画素でそれぞれ異なる。【選択図】図６
2019078848.tif 000002
【特許請求の範囲】
【請求項１】
第１副画素、第２副画素、第３副画素及び第４副画素を備え、これら第１〜第４副画素は、それぞれ大きさが異なるＮ個の分割画素に分割されており、駆動する前記Ｎ個の分割画素の組み合わせでＮビットの階調表示が可能であり、
Ｎは、２以上の自然数であり、
前記第１副画素、前記第２副画素、前記第３副画素及び前記第４副画素のうち２種類の副画素を組み合わせる混合色の階調表示は、前記Ｎビットの階調表示と中間階調表示を含み、
前記中間階調表示は、第１の階調表示と第２の階調表示の間の階調表示であり、
前記第１の階調表示は、前記２種類の副画素の各々で駆動される分割画素と駆動されない分割画素との面積比が等しく、
前記第２の階調表示は、前記２種類の副画素の各々で駆動される分割画素と駆動されない分割画素との面積比が等しく、かつ、前記第１の階調表示よりも駆動される分割画素の面積比率が大きく、
前記中間階調表示は、駆動される分割画素と駆動されない分割画素との面積比が前記２種類の副画素でそれぞれ異なる
表示装置。
【請求項２】
前記中間階調表示は、前記２種類の副画素のうち１つ以上がｕ階調に対応し、かつ、前記２種類の副画素のうち１つ以上が（ｕ＋１）階調に対応する前記分割画素の光の反射の有無の組み合わせであり、
ｕは、０≦ｕ≦２Ｎ−２を満たす自然数である
請求項１に記載の表示装置。
【請求項３】
前記中間階調表示は、
前記２種類の副画素のうち相対的に明るい色のカラーフィルタを有する１つ以上の副画素がｕ階調に対応し、かつ、前記２種類の副画素のうち相対的に暗い色のカラーフィルタを有する１つ以上の副画素が（ｕ＋１）階調に対応する前記分割画素の光の反射の有無の組み合わせである第１の組み合わせと、
前記２種類の副画素のうち相対的に暗い色のカラーフィルタを有する１つ以上の副画素がｕ階調に対応し、かつ、前記２種類の副画素のうち相対的に明るい色のカラーフィルタを有する１つ以上の副画素が（ｕ＋１）階調に対応する前記分割画素の光の反射の有無の組み合わせである第２の組み合わせとを含む
請求項２に記載の表示装置。
【請求項４】
前記中間階調表示は、第１の組み合わせと第２の組み合わせとが周期的に切り替わるパターンを含み、
前記第１の組み合わせは、前記２種類の副画素のうち相対的に明るい色のカラーフィルタを有する１つ以上の副画素がｕ階調に対応し、かつ、前記２種類の副画素のうち相対的に暗い色のカラーフィルタを有する１つ以上の副画素が（ｕ＋１）階調に対応する前記分割画素の光の反射の有無の組み合わせであり、
前記第２の組み合わせは、前記２種類の副画素のうち相対的に暗い色のカラーフィルタを有する１つ以上の副画素がｕ階調に対応し、かつ、前記２種類の副画素のうち相対的に明るい色のカラーフィルタを有する１つ以上の副画素が（ｕ＋１）階調に対応する前記分割画素の光の反射の有無の組み合わせである
請求項２又は３に記載の表示装置。
【請求項５】
前記中間階調表示は、Ｎビットの階調表示のうち所定階調以上の範囲の階調表示に用いられる
請求項１から４のいずれか一項に記載の表示装置。
【請求項６】
前記第１副画素は、透過させる光のスペクトルのピークが赤色寄りの緑色のスペクトルである第１のカラーフィルタを有し、
前記第２副画素は、前記ピークが青色寄りの緑色のスペクトルである第２のカラーフィルタを有し、
前記第３副画素は、前記ピークが赤色のスペクトルである第３のカラーフィルタを有し、
前記第４副画素は、前記ピークが青色のスペクトルである第４のカラーフィルタを有している
請求項１から５のいずれか一項に記載の表示装置。
【請求項７】
前記第１副画素、前記第２副画素、前記第３副画素及び前記第４副画素はそれぞれ、カラーフィルタを透過する光を反射する反射電極を有している
請求項１から６のいずれか一項に記載の表示装置。
【請求項８】
前記第３副画素及び前記第４副画素は、前記第１副画素及び前記第２副画素よりも大きく、
前記第１副画素と前記第２副画素を足し合わせた大きさは、前記第３副画素の大きさ以上である
請求項１から７のいずれか一項に記載の表示装置。
【請求項９】
前記第１副画素と前記第２副画素を足し合わせた大きさは、前記第４副画素の大きさ以上である
請求項８に記載の表示装置。
【請求項１０】
前記第４副画素は、前記第３副画素よりも大きい
請求項１から９のいずれか一項に記載の表示装置。
【請求項１１】
前記第２副画素は、前記第１副画素よりも大きい
請求項１０に記載の表示装置。
【請求項１２】
前記第１副画素と、前記第２副画素と、前記第３副画素との組み合わせで黄色を再現する
請求項１から１１のいずれか一項に記載の表示装置。
【請求項１３】
前記第１副画素と、前記第２副画素との組み合わせで緑色を再現する
請求項１から１２のいずれか一項に記載の表示装置。
【請求項１４】
前記第１副画素と前記第２副画素は隣接している
請求項１から１３のいずれか一項に記載の表示装置。
【請求項１５】
反射電極が設けられた第１基板と、
カラーフィルタ及び透光性電極が設けられた第２基板と、
前記反射電極と前記透光性電極との間に設けられた液晶層を有し、
前記階調表示に応じた電位を保持する保持部が前記分割画素の各々に設けられている
請求項１から１４のいずれか一項に記載の表示装置。
【発明の詳細な説明】
【技術分野】
【０００１】
本発明は、表示装置に関する。
【背景技術】
【０００２】
外光を反射して画像を表示する所謂反射式の表示装置が知られている（例えば特許文献１）。
【先行技術文献】
【特許文献】
【０００３】
【特許文献１】特開２０１０−９７１７６号公報
【発明の概要】
【発明が解決しようとする課題】
【０００４】
反射式の表示装置において、面積の異なる複数の画素を組み合わせて複数階調表現を行う所謂面積階調を採用したものが知られている。しかしながら、従来の面積階調では、面積階調に用いる１組の画素を構成する画素数に応じた階調性しか得られなかった。このため、より高い階調性を得られる表示装置が求められていた。
【０００５】
本発明は、上記の課題に鑑みてなされたもので、より高い階調性を得られる表示装置を提供することを目的とする。
【課題を解決するための手段】
【０００６】
本発明の一態様による表示装置は、第１副画素、第２副画素、第３副画素及び第４副画素を備え、これら第１〜第４副画素は、それぞれ大きさが異なるＮ個の分割画素に分割されており、駆動する前記Ｎ個の分割画素の組み合わせでＮビットの階調表示が可能であり、Ｎは、２以上の自然数であり、前記第１副画素、前記第２副画素、前記第３副画素及び前記第４副画素のうち２種類の副画素を組み合わせる混合色の階調表示は、前記Ｎビットの階調表示と中間階調表示を含み、前記中間階調表示は、第１の階調表示と第２の階調表示の間の階調表示であり、前記第１の階調表示は、前記２種類の副画素の各々で駆動される分割画素と駆動されない分割画素との面積比が等しく、前記第２の階調表示は、前記２種類の副画素の各々で駆動される分割画素と駆動されない分割画素との面積比が等しく、かつ、前記第１の階調表示よりも駆動される分割画素の面積比率が大きく、前記中間階調表示は、駆動される分割画素と駆動されない分割画素との面積比が前記２種類の副画素でそれぞれ異なる。
【図面の簡単な説明】
【０００７】
【図１】図１は、１つの副画素が有する主要構成を模式的に示す斜視図である。
【図２】図２は、１つの画素が有する副画素の形状、大きさ及び位置関係並びに副画素の各々が有するカラーフィルタの一例を示す図である。
【図３】図３は、赤、赤寄りの緑、緑、青寄りの緑及び青のスペクトルの一例を示す模式的な図である。
【図４】図４は、１つの画素による再現色と、画像信号として入力されたＲＧＢの階調値と、出力に際して用いられる副画素との関係を示す図である。
【図５】図５は、Ｎビットの階調表示で用いられる複数の分割画素の表示状態と非表示状態の組み合わせパターンの一例を示す図である。
【図６】図６は、中間階調表示を含む複数の分割画素の表示状態と非表示状態の組み合わせパターンの一例を示す図である。
【図７】図７は、中間階調表示を含む複数の分割画素の表示状態と非表示状態の組み合わせパターンの別の一例を示す図である。
【図８】図８は、表示装置が備える回路構成例を示す図である。
【図９】図９は、分割画素の概略断面図である。
【図１０】図１０は、ＭＩＰ方式を採用した画素の回路構成の一例を示すブロック図である。
【図１１】図１１は、ＭＩＰ方式を採用した画素の動作説明に供するタイミングチャートである。
【図１２】図１２は、信号処理回路の構成例を示すブロック図である。
【図１３】図１３は、１つの画素が有する副画素の形状、大きさ及び位置関係並びに副画素の各々が有するカラーフィルタの一例を示す図である。
【図１４】図１４は、１つの画素が有する副画素の形状、大きさ及び位置関係並びに副画素の各々が有するカラーフィルタの一例を示す図である。
【図１５】図１５は、表示装置によって再現される黄色と、カラーフィルタが透過させる光のスペクトルのピークとの対応関係を示す模式的な色度図である。
【図１６】図１６は、実施例と比較例の色再現性をＬ＊ａ＊ｂ＊色空間で表した場合の一例を示す図である。
【図１７】図１７は、１つの画素が有する副画素同士の面積比率に応じた赤色寄りの緑色及び青色寄りの緑色の決定方法をｓＲＧＢ色空間内で説明している模式図である。
【図１８】図１８は、面積階調のために副画素を複数の面積領域に区分けした場合の別の一例を示す図である。
【図１９】図１９は、面積階調のために副画素を複数の面積領域に区分けした場合の別の一例を示す図である。
【図２０】図２０は、複数の表示装置が並べられた場合の外光と、反射光と、ユーザの視点との関係の一例を示す模式図である。
【発明を実施するための形態】
【０００８】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
図１は、１つの分割画素５０が有する主要構成を模式的に示す斜視図である。分割画素５０は、カラーフィルタ２０、反射電極４０、偏光板９１等を有する。カラーフィルタ２０は、光の透過性（透光性）を有する部材である。
【００１０】
カラーフィルタ２０と反射電極４０との間には、液晶層３０が設けられている。液晶層３０は多数の液晶分子を含んでいる。液晶分子は、反射電極４０等から与えられる電界に応じて配向が変化する。このため、液晶分子の配向に応じて、反射電極４０が反射した光（光ＯＬ）と偏光板９１との関係が変化する。液晶分子の配向が、偏光板９１を透過するように光ＯＬを偏光する配向である場合、分割画素５０は表示状態になる。液晶分子の配向が、偏光板９１を透過しないように光ＯＬを偏光する配向である場合、分割画素５０は非表示状態になる。表示状態である分割画素５０は、外光ＩＬを反射電極４０で反射して光ＯＬを出射する。非表示状態である分割画素５０は、光ＯＬを出射しない。すなわち、分割画素５０は、状態（表示状態又は非表示状態）に応じて、外光ＩＬの反射の有無が切り替わる。表示状態と非表示状態のいずれか一方の状態が、分割画素５０が駆動された状態であり、他方が駆動されない状態である。また、偏光板９１に対してカラーフィルタ２０の反対側には、例えば反射電極側からの光ＯＬの散乱方向等を調節するための散乱層９２が設けられていてもよい。散乱層９２は、反射電極４０に反射された光ＯＬを散乱させる。
【００１１】
図２は、１つの画素１０が有する副画素１５の形状、大きさ及び位置関係並びに副画素１５の各々が有するカラーフィルタの一例を示す図である。画素１０は、第１副画素１１、第２副画素１２、第３副画素１３及び第４副画素１４を有する。第１副画素１１、第２副画素１２、第３副画素１３、第４副画素１４は、それぞれ透過させる光のスペクトルのピークが異なるカラーフィルタ２０を有する。カラーフィルタ２０が透過させる光のスペクトルのピークについては後述する。なお、副画素１５という記載は、第１副画素１１、第２副画素１２、第３副画素１３及び第４副画素１４等を、それぞれが有するカラーフィルタ２０で区別しない記載である。１つの画素１０は、複数の副画素１５を有する。
【００１２】
１つの副画素１５は、複数の分割画素５０を有する。例えば、第１副画素１１は、第１分割画素１１１、第２分割画素１１２及び第３分割画素１１３のように、３つの面積領域として機能する分割画素５０を有する。第１分割画素１１１と第２分割画素１１２と第３分割画素１１３の面積比は、例えば１：２：４（＝２０：２１：２２）である。第１分割画素１１１、第２分割画素１１２及び第３分割画素１１３は、上記の分割画素５０と同様の構成を有する。すなわち、第１分割画素１１１と、第２分割画素１１２と、第３分割画素１１３は、状態（表示状態又は非表示状態）を個別に制御可能に設けられている。第１分割画素１１１と第２分割画素１１２と第３分割画素１１３の状態（表示状態又は非表示状態）の組み合わせを切り替えることで、光ＯＬが出射される表示状態となる面積を第１副画素１１内で切り替えることができる。第１副画素１１は、第１分割画素１１１、第２分割画素１１２、第３分割画素１１３の各々の状態（表示状態又は非表示状態）の組み合わせによって、３ビット（８階調）以上の階調性を有する。
【００１３】
例えば、第１分割画素１１１、第２分割画素１１２、第３分割画素１１３の各々の状態（表示状態又は非表示状態）に応じた光ＯＬの偏光板９１の透過の有無の組み合わせパターンによる８階調の面積階調を、出力階調の低い方から順に記載すると、「無：無：無」、「有：無：無」、「無：有：無」、「有：有：無」、「無：無：有」、「有：無：有」、「無：有：有」、「有：有：有」となる（図５参照）。なお、１つの副画素１５が有する複数の分割画素５０のカラーフィルタ２０が透過させる光のスペクトルのパターン（ピーク等）は、統一されている。
【００１４】
また、第２副画素１２は、第１分割画素１２１、第２分割画素１２２及び第３分割画素１２３のように、複数の分割画素５０を有する。また、第３副画素１３は、第１分割画素１３１、第２分割画素１３２及び第３分割画素１３３のように、複数の分割画素５０を有する。また、第４副画素１４は、第１分割画素１４１、第２分割画素１４２及び第３分割画素１４３のように、複数の分割画素５０を有する。第２副画素１２、第３副画素１３及び第４副画素１４は、第１副画素１１と同様、３ビット（８階調）以上の階調性を有する。
【００１５】
このように、図２に示す副画素１５は、それぞれ面積が異なる複数の分割画素５０に分割されており、副画素１５毎に複数の分割画素５０の状態（表示状態又は非表示状態）の組み合わせで階調表示が可能である。１つの副画素１５が有する複数の分割画素５０の数は、２つであってもよいし、４つ以上であってもよい。面積階調における１つの副画素１５の階調性は、複数の分割画素５０の数（Ｎ）に対応するビット数（Ｎビット）以上である。Ｎは、２以上の自然数である。最も小さい分割画素５０の面積を１とすると、小さい方から数えてｑつ目（ｑビット目）の分割画素５０の面積は、２（ｑ−１）である。
【００１６】
副画素１５同士の間には、例えば複数のカラーフィルタ２０同士の間に設けられたブラックマトリクス２３（図９参照）がある。ブラックマトリクス２３は、例えば黒色のフィルタであってもよいし、隣り合う副画素のカラーフィルタを重ねて重なり部分の透過率を下げた構成であってもよい。ブラックマトリクス２３は、なくてもよい。複数の分割画素５０による面積階調の比率（例えば１：２：４等）は、あくまで平面視での開口率である。従って、ブラックマトリクス２３がある場合、面積階調の比率は、ブラックマトリクス２３がない部分である開口部分の比率である。また、ブラックマトリクス２３がない場合、面積階調の比率は、複数の分割画素５０が有する反射電極４０の面積比率である。反射電極４０の具体的な形状は、分割画素５０の具体的な形状による。例えば図１１では、画素１０の中央側から四角、Ｌ字、Ｌ字の反射電極４０が複数の分割画素５０の各々に設けられる。
【００１７】
カラーフィルタ２０は、透過させる光のスペクトルのピークが予め定められている。具体的には、カラーフィルタ２０が透過させる光のスペクトルのピークは、赤色寄りの緑色（例えば、第１レッドグリーンＲＧ１）のスペクトル、青色寄りの緑色（例えば、第１ブルーグリーンＢＧ１）のスペクトル、赤色（例えば、赤色Ｒ１）のスペクトル、青色（例えば、青色Ｂ１）のスペクトルのいずれかである。反射電極４０は、カラーフィルタ２０を透過する外光ＩＬを反射する電極である。光ＯＬは、カラーフィルタ２０を透過する外光ＩＬが反射電極４０によって反射された光である。
【００１８】
図３は、赤、赤寄りの緑、緑、青寄りの緑及び青のスペクトルの一例を示す模式的な図である。図３で例示するように、第１レッドグリーンＲＧ１のスペクトルのピーク及び第１ブルーグリーンＢＧ１のスペクトルのピークは、緑色Ｇとして視認される光のスペクトルのピークと重複する部分を有する。また、第１レッドグリーンＲＧ１のスペクトルは、第１ブルーグリーンＢＧ１に比して赤色ＢＧに寄っている。また、第１ブルーグリーンＢＧ１のスペクトルは、第１レッドグリーンＲＧ１に比して青色Ｂ１に寄っている。
【００１９】
第１副画素１１は、第１のカラーフィルタ２０ＲＧ１を有する。第２副画素１２は、第２のカラーフィルタ２０ＢＧ１を有する。第３副画素１３は、第３のカラーフィルタ２０Ｒ１を有する。第４副画素１４は、第４のカラーフィルタ２０Ｂ１を有する。第１のカラーフィルタ２０ＲＧ１が透過させる光のスペクトルのピークは、赤色寄りの緑色（第１レッドグリーンＲＧ１）のスペクトルである。第２のカラーフィルタ２０ＢＧ１が透過させる光のスペクトルのピークは、青色寄りの緑色（第１ブルーグリーンＢＧ１）のスペクトルである。第３のカラーフィルタ２０Ｒ１が透過させる光のスペクトルのピークは、赤色（赤色Ｒ１）のスペクトルである。第４のカラーフィルタ２０Ｂ１が透過させる光のスペクトルのピークは、青色（青色Ｂ１）のスペクトルである。
【００２０】
本実施形態の説明では、透過させる光のスペクトルのピークの差異を区別しない場合、カラーフィルタ２０と記載する。透過させる光のスペクトルのピークの差異を区別する場合、例えば第１のカラーフィルタ２０ＲＧ１、第２のカラーフィルタ２０ＢＧ１、第３のカラーフィルタ２０Ｒ１、第４のカラーフィルタ２０Ｂ１のように区別して記載する。カラーフィルタ２０を透過した光ＯＬは、カラーフィルタ２０が透過させる光のスペクトルのピークに対応した色の光として視認される。
【００２１】
第３副画素１３Ｂ及び第４副画素１４Ｂは、第１副画素１１Ｂ及び第２副画素１２Ｂよりも大きい。また、第１副画素１１Ｂと第２副画素１２Ｂを足し合わせた大きさは、第３副画素１３Ｂ及び第４副画素１４Ｂの大きさ以上である。また、第３副画素１３Ｂと第４副画素１４Ｂの大きさは同じである。また、第１副画素１１Ｂと第２副画素１２Ｂの大きさは同じである。例えば、第１副画素１１Ｂと第２副画素１２Ｂと第３副画素１３Ｂと第４副画素１４Ｂの面積比をＡ：Ｂ：Ｃ：Ｄで表すと、０．６５≦Ａ＝Ｂ＜１．０，１．０≦Ｃ＝Ｄ≦１．３５である。図２では、Ａ：Ｂ：Ｃ：Ｄ＝０．７４４：０．７４４：１．２５６：１．２５６である場合を例示している。この場合、第１副画素１１と第２副画素１２を足し合わせた大きさは、第３副画素１３及び第４副画素１４の大きさ以上である。
【００２２】
図４は、１つの画素１０による再現色と、画像信号として入力されたＲＧＢの階調値と、出力に際して用いられる副画素１５との関係を示す図である。入力されたＲＧＢの階調値が（Ｒ，Ｇ，Ｂ）＝（ｎ，ｎ，ｎ）である場合、再現色は白色となり、第１副画素１１、第２副画素１２、第３副画素１３及び第４副画素１４が出力に用いられる。入力されたＲＧＢの階調値が（Ｒ，Ｇ，Ｂ）＝（ｎ，０，０）である場合、再現色は赤色となり、第３副画素１３が出力に用いられる。入力されたＲＧＢの階調値が（Ｒ，Ｇ，Ｂ）＝（０，ｎ，０）である場合、再現色は緑色となり、第１副画素１１及び第２副画素１２が出力に用いられる。入力されたＲＧＢの階調値が（Ｒ，Ｇ，Ｂ）＝（０，０，ｎ）である場合、再現色は青色となり、第４副画素１４が出力に用いられる。入力されたＲＧＢの階調値が（Ｒ，Ｇ，Ｂ）＝（ｍ，ｍ，０）である場合、再現色は黄色となり、第１副画素１１、第２副画素１２及び第３副画素１３が出力に用いられる。入力されたＲＧＢの階調値が（Ｒ，Ｇ，Ｂ）＝（０，ｍ，ｍ）である場合、再現色はシアンとなり、第１副画素１１、第２副画素１２及び第４副画素１４が出力に用いられる。入力されたＲＧＢの階調値が（Ｒ，Ｇ，Ｂ）＝（ｍ，０，ｍ）である場合、再現色はマゼンタとなり、第３副画素１３及び第４副画素１４が出力に用いられる。このように、本実施形態の表示装置１（例えば、図８参照）は、第１副画素１１と、第２副画素１２と、第３副画素１３との組み合わせで黄色を再現する。また、本実施形態の表示装置１は、第１副画素１１と、第２副画素１２との組み合わせで緑色を再現する。また、本実施形態の表示装置１は、第１副画素１１と、第２副画素１２と、第４副画素１４との組み合わせでシアンを再現する。また、本実施形態の表示装置１は、第３副画素１３と、第４副画素１４との組み合わせでマゼンタを再現する。また、本実施形態の表示装置１は、第３副画素１３で赤色を再現する。また、本実施形態の表示装置１は、第４副画素１４で青色を再現する。
【００２３】
入力信号に応じた複数の分割画素５０の状態（表示状態又は非表示状態）の組み合わせは、複数パターンある。以下、図２に示す画素１０に基づいて、面積階調のパターンについて説明する。
【００２４】
図５は、Ｎビットの階調表示で用いられる複数の分割画素５０の表示状態と非表示状態の組み合わせパターンの一例を示す図である。図５は、緑色を再現するために第１副画素１１と第２副画素１２が用いられている場合を例示している。Ｎ＝３の場合、緑色の再現におけるＮビットの階調表示（３ビット＝８階調表示）で用いられるパターンは、図５に示すように、パターンＬ０１、パターンＬ１１、パターンＬ２１、パターンＬ３１、パターンＨ４１、パターンＨ５１、パターンＨ６１、パターンＨ７１の計８パターンである。
【００２５】
パターンＬ０１では、全ての分割画素５０が非表示状態である。パターンＬ１１では、第１分割画素１１４及び第１分割画素１２４が表示状態であり、他の分割画素５０が非表示状態である。パターンＬ２１では、第２分割画素１１５及び第２分割画素１２５が表示状態であり、他の分割画素５０が非表示状態である。パターンＬ３１では、第１分割画素１１４及び第２分割画素１１５ならびに第１分割画素１２４及び第２分割画素１２５が表示状態であり、他の分割画素５０が非表示状態である。パターンＨ４１では、第３分割画素１１６及び第３分割画素１２６が表示状態であり、他の分割画素５０が非表示状態である。パターンＨ５１では、第１分割画素１１４及び第３分割画素１１６ならびに第１分割画素１２４及び第３分割画素１２６が表示状態であり、他の分割画素５０が非表示状態である。パターンＨ６１では、第２分割画素１１５及び第３分割画素１１６ならびに第２分割画素１２５及び第３分割画素１２６が表示状態であり、他の分割画素５０が非表示状態である。パターンＨ７１では、第１分割画素１１４、第２分割画素１１５及び第３分割画素１１６ならびに第１分割画素１２４、第２分割画素１２５及び第３分割画素１２６が表示状態であり、他の分割画素５０が非表示状態である。
【００２６】
分割画素５０を用いた階調表示により再現される階調のうち、最も低い階調を「０階調」とし、最も高い階調を「（２Ｎ−１）階調」とした場合、Ｎ＝３の８階調表示は、０階調〜７階調を含む。図５に示す例では、パターンＬ０１が０階調である。また、パターンＬ１１が１階調である。また、パターンＬ２１が２階調である。また、パターンＬ３１が３階調である。また、パターンＨ４１が４階調である。また、パターンＨ５１が５階調である。また、パターンＨ６１が６階調である。また、パターンＨ７１が７階調である。
【００２７】
分割画素５０を用いた階調表示には、Ｎビットの階調表示に限らず、中間階調表示を含めることができる。中間階調表示は、２種類の副画素１５のうち１つ以上がｕ階調に対応し、かつ、２種類の副画素１５のうち１つ以上が（ｕ＋１）階調に対応する複数の分割画素５０の光の反射の有無の組み合わせである。ここで、ｕは、０≦ｕ≦２Ｎ−２を満たす。
【００２８】
図６は、中間階調表示を含む複数の分割画素５０の表示状態と非表示状態の組み合わせパターンの一例を示す図である。図６及び後述する図７は、第１副画素１１と第２副画素１２が用いられている場合を例示している。図６に示すパターンは、図５を参照して説明したＮビットの階調表示に対応するパターンに加えて、中間階調表示に対応するパターンを含む。Ｎビットの階調表示に対応するパターンは、パターンＬ０１、パターンＬ１１、パターンＬ２１、パターンＬ３１、パターンＨ４１、パターンＨ５１、パターンＨ６１、パターンＨ７１である。中間階調表示に対応するパターンは、パターンＬ０２、パターンＬ０３、パターンＬ１２、パターンＬ１３、パターンＬ２２、パターンＬ２３、パターンＬ３２、パターンＬ３３、パターンＨ４２、パターンＨ４３、パターンＨ５２、パターンＨ５３、パターンＨ６２、パターンＨ６３である。
【００２９】
中間階調表示に対応するパターンのうち、パターンＬ０２、パターンＬ１２、パターンＬ２２、パターンＬ３２、パターンＨ４２、パターンＨ５２、パターンＨ６２は、第１の組み合わせに該当する。第１の組み合わせは、２種類の副画素１５のうち相対的に明るい色のカラーフィルタを有する１つ以上の副画素１５がｕ階調に対応し、かつ、２種類の副画素１５のうち相対的に暗い色のカラーフィルタを有する１つ以上の副画素１５が（ｕ＋１）階調に対応する複数の分割画素５０の光の反射の有無の組み合わせである。
【００３０】
例えば、パターンＬ０２では、第１副画素１１が有する複数の分割画素５０は全て非表示状態である。すなわち、パターンＬ０２における第１副画素１１の状態は、図５を参照して説明したＮビットの階調表示のうち、０階調に対応する状態である。また、パターンＬ０２では、第２副画素１２が有する複数の分割画素５０のうち、第１分割画素１２４は表示状態であり、第２分割画素１２５及び第３分割画素１２６は非表示状態である。すなわち、パターンＬ０２における第２副画素１２の状態は、図５を参照して説明したＮビットの階調表示のうち、１階調に対応する状態である。また、表示状態になる第１分割画素１２４に設けられている第２のカラーフィルタＢＧ１（第１ブルーグリーンＢＧ１）の色は、第１のカラーフィルタＲＧ１の色（第１レッドグリーンＲＧ１）の色に比して暗い。従って、パターンＬ０２は、ｕ＝０が適用された第１の組み合わせである。
【００３１】
また、パターンＬ１２は、ｕ＝１が適用された第１の組み合わせである。また、パターンＬ２２は、ｕ＝２が適用された第１の組み合わせである。また、パターンＬ３２は、ｕ＝３が適用された第１の組み合わせである。また、パターンＨ４２は、ｕ＝４が適用された第１の組み合わせである。また、パターンＨ５２は、ｕ＝５が適用された第１の組み合わせである。また、パターンＨ６２は、ｕ＝６が適用された第１の組み合わせである。
【００３２】
中間階調表示に対応するパターンのうち、パターンＬ０３、パターンＬ１３、パターンＬ２３、パターンＬ３３、パターンＨ４３、パターンＨ５３、パターンＨ６３は、第２の組み合わせに該当する。第２の組み合わせは、２種類の副画素１５のうち相対的に暗い色のカラーフィルタを有する１つ以上の副画素１５がｕ階調に対応し、かつ、２種類の副画素１５のうち相対的に明るい色のカラーフィルタを有する１つ以上の副画素１５が（ｕ＋１）階調に対応する複数の分割画素５０の光の反射の有無の組み合わせである。
【００３３】
例えば、パターンＬ０３では、第２副画素１２が有する複数の分割画素５０は全て非表示状態である。すなわち、パターンＬ０３における第２副画素１２の状態は、図５を参照して説明したＮビットの階調表示のうち、０階調に対応する状態である。また、パターンＬ０３では、第１副画素１１が有する複数の分割画素５０のうち、第１分割画素１１４は表示状態であり、第２分割画素１１５及び第３分割画素１１６は非表示状態である。すなわち、パターンＬ０３における第１副画素１１の状態は、図５を参照して説明したＮビットの階調表示のうち、１階調に対応する状態である。表示状態になる第１分割画素１１４に設けられている第１のカラーフィルタＲＧ１（第１レッドグリーンＲＧ１）の色は、第２のカラーフィルタＢＧ１の色（第１ブルーグリーンＢＧ１）の色に比して明るい。従って、パターンＬ０３は、ｕ＝０が適用された第２の組み合わせである。
【００３４】
また、パターンＬ１３は、ｕ＝１が適用された第２の組み合わせである。また、パターンＬ２３は、ｕ＝２が適用された第２の組み合わせである。また、パターンＬ３３は、ｕ＝３が適用された第２の組み合わせである。また、パターンＨ４３は、ｕ＝４が適用された第２の組み合わせである。また、パターンＨ５３は、ｕ＝５が適用された第２の組み合わせである。また、パターンＨ６３は、ｕ＝６が適用された第２の組み合わせである。
【００３５】
中間階調表示は、例えば第１の階調表示と第２の階調表示の間の階調表示である。第１の階調表示は、一方の副画素で駆動される分割画素５０と他方の副画素で駆動される分割画素５０の面積比、及び一方の副画素で駆動されない分割画素５０と他方の副画素で駆動されない分割画素５０の面積比が等しい。第２の階調表示は、一方の副画素で駆動される分割画素５０と他方の副画素で駆動される分割画素５０の面積比、及び一方の副画素で駆動されない分割画素５０と他方の副画素で駆動されない分割画素５０の面積比が等しく、かつ、前記第１の階調表示よりも駆動される分割画素５０の面積比率が大きい。中間階調表示は、駆動される分割画素５０と駆動されない分割画素５０との面積比が前記２種類の副画素でそれぞれ異なる。
【００３６】
例えば、第１の階調表示のパターンをＮビットの階調表示におけるｕ階調のパターンとした場合、第２の階調表示のパターンは、Ｎビットの階調表示における（ｕ＋１）階調のパターンである。また、中間階調表示のパターンは、第１の組み合わせのパターン、第２の組み合わせのパターン又は第１の組み合わせと第２の組み合わせとの切り替わりパターンである。
【００３７】
中間階調表示における第１の組み合わせ及び第２の組み合わせは、Ｎビットの階調表示におけるｕ階調よりも高階調であり、かつ、Ｎビットの階調表示における（ｕ＋１）階調よりも低階調である。また、中間階調表示において、第１の組み合わせは、ｕの値が同一である第２の組み合わせよりも低階調である。例えば、ｕ＝６が適用された第１の組み合わせであるパターンＨ６２は、図５を参照して説明したＮビットの階調表示における６階調（パターンＨ６１）よりも高階調で、ｕ＝６が適用された第２の組み合わせであるパターンＨ６３よりも低階調である。また、ｕ＝６が適用された第２の組み合わせであるパターンＨ６３は、図５を参照して説明したＮビットの階調表示における７階調（パターンＨ７１）よりも低階調である。ここではｕ＝６の場合について例示したが、ｕが他の値である場合も同様である。
【００３８】
図７は、中間階調表示を含む複数の分割画素５０の表示状態と非表示状態の組み合わせパターンの別の一例を示す図である。中間階調表示は、第１の組み合わせと第２の組み合わせとが周期的に切り替わるパターンを含んでいてもよい。例えば、図７におけるパターンＬ０４は、ｕ＝０が適用された第１の組み合わせと、第２の組み合わせとが切り替わるパターンを示している。すなわち、パターンＬ０４は、図６におけるパターンＬ０２とパターンＬ０３とが周期的に切り替わるパターンである。また、パターンＬ１４は、パターンＬ１２とパターンＬ１３とが周期的に切り替わるパターンである。また、パターンＬ２４は、パターンＬ２２とパターンＬ２３とが周期的に切り替わるパターンである。また、パターンＬ３４は、パターンＬ３２とパターンＬ３３とが周期的に切り替わるパターンである。また、パターンＨ４４は、パターンＨ４２とパターンＨ４３とが周期的に切り替わるパターンである。また、パターンＨ５４は、パターンＨ５２とパターンＨ５３とが周期的に切り替わるパターンである。また、パターンＨ６４は、パターンＨ６２とパターンＨ６３とが周期的に切り替わるパターンである。
【００３９】
第１の組み合わせと第２の組み合わせとが周期的に切り替わるパターンは、Ｎビットの階調表示におけるｕ階調よりも高階調であり、かつ、Ｎビットの階調表示における（ｕ＋１）階調よりも低階調である。例えば、ｕ＝６が適用されたパターンＨ６４は、図５を参照して説明したＮビットの階調表示における６階調（パターンＨ６１）よりも高階調で、Ｎビットの階調表示における７階調（パターンＨ７１）よりも低階調である。ここではｕ＝６の場合について例示したが、ｕが他の値である場合も同様である。
【００４０】
切り替わりは時間的周期であってもよいし、空間的周期であってもよい。時間的周期の場合、複数の画素１０はそれぞれ画素単位で、第１の組み合わせと第２の組み合わせとが切り替わるよう駆動される。空間的周期の場合、行列状に並ぶ複数の画素１０のうち隣接する２以上の画素１０であって、同一の混合色を出力する２以上の画素１０のうち１つ以上の画素１０が第１の組み合わせとされ、他の１つ以上の画素１０が第２の組み合わせとされる。
【００４１】
中間階調表示は、Ｎビットの階調表示のうち所定階調以上の範囲の階調表示に用いられてもよい。例えば、中間階調表示は、複数の分割画素５０のうち最も大きい分割画素５０が用いられる階調表示の範囲内に適用されて、当該範囲外の階調表示に適用されないものであってもよい。この場合、所定階調以上の範囲の階調表示は、２（Ｎ−１）階調以上の範囲である。
【００４２】
図６及び図７を参照して説明すると、複数の分割画素５０のうち最も大きい分割画素５０が用いられるＮビットの階調表示のパターンは、パターンＨ４１、パターンＨ５１、パターンＨ６１、パターンＨ７１である。従って、図６の中間階調表示において、複数の分割画素５０のうち最も大きい分割画素５０が用いられる階調表示の範囲内に該当する第１の組み合わせは、パターンＨ４２、パターンＨ５２、パターンＨ６２である。また、図６の中間階調表示において、複数の分割画素５０のうち最も大きい分割画素５０が用いられる階調表示の範囲内に該当する第２の組み合わせは、パターンＨ４３、パターンＨ５３、パターンＨ６３である。また、図７の中間階調表示において、複数の分割画素５０のうち最も大きい分割画素５０が用いられる階調表示の範囲内に該当する切り替わりパターンは、パターンＨ４４、パターンＨ５４、パターンＨ６４である。複数の分割画素５０のうち最も大きい分割画素５０が用いられるパターンに限定して中間階調表示を行うことで、第１の組み合わせと第２の組み合わせとの間の色の差異が視認される可能性をより低減することができる。また、第１の組み合わせと第２の組み合わせとが切り替わるパターンでは、複数の分割画素５０のうち最も大きい分割画素５０が表示状態と非表示状態とを切り替えられることによる比較的大きな輝度の変動を抑制することができる。このため、第１の組み合わせと第２の組み合わせとの切り替わりパターンにおける周期的な輝度の変動が視認される可能性をより低減することができる。以上、Ｎ（Ｎ＝３）ビットの階調表示のうち２（Ｎ−１）（４＝２（３−１））階調以上の範囲の階調表示に中間階調表示が用いられる場合について例示したが、あくまで例示であってこれに限られるものでない。所定階調以上の範囲は任意の範囲である。
【００４３】
以上、図５〜図７を参照して中間階調表示について説明したが、中間階調表示は、第１副画素１１と第２副画素１２が有する複数の分割画素５０を用いる場合に限られない。中間階調表示は、２種類の副画素１５が有する複数の分割画素５０を用いる場合に適用可能である。例えば、紫の中間階調を表示する方法として、赤色（Ｒ１）と青色（Ｂ１）の副画素１５の面積階調の階調をずらし合って中間階調を設けるようにしてもよい。
【００４４】
以下、表示装置１が備える構成について、図８〜図１２を参照してより具体的に説明する。
【００４５】
図８は、表示装置１が備える回路構成例を示す図である。図８では、後述する第２基板２１の図示を省略している。図８に示すＸ方向は、表示装置１の行方向を示し、Ｙ方向は、表示装置１の列方向を示す。図８に示すように、分割画素５０は、例えば、薄膜トランジスタ（ＴＦＴ）を用いた画素トランジスタ５１と液晶容量５２と保持容量５３とを有する構成となっている。画素トランジスタ５１は、ゲート電極が走査線６２（６２１、６２２、６２３、・・・）に接続され、ソース電極が信号線６１（６１１、６１２、６１３、・・・）に接続されている。
【００４６】
液晶容量５２は、分割画素５０ごとに設けられる反射電極４０と、複数又は全部の反射電極４０に対向して形成される対向電極２２（図６参照）との間で発生する液晶材料の容量成分をさす。反射電極４０は、画素トランジスタ５１のドレイン電極に接続されている。対向電極２２にはコモン電位ＶＣＯＭが印加されている。コモン電位ＶＣＯＭは、分割画素５０を反転駆動させるために所定周期で反転する電位である。保持容量５３は、一方の電極が反射電極４０に、他方の電極が対向電極２２と同電位とされている。
【００４７】
分割画素５０は、列方向に沿う信号線６１と行方向に沿う走査線６２に画素トランジスタ５１が接続されるよう、信号線６１と走査線６２との交差位置に設けられている。信号線６１（６１１、６１２、６１３、・・・）の各一端は、信号回路７０の各列に対応した出力端に接続されている。複数の走査線６２（６２１、６２２、６２３、・・・）の各一端は、走査回路８０の各行に対応した出力端に接続されている。複数の信号線６１（６１１、６１２、６１３、・・・）は、分割画素５０を駆動する信号、すなわち、信号出力回路７０から出力される映像信号を画素列毎に分割画素５０に伝送する配線である。また、複数の走査線６２（６２１、６２２、６２３、・・・）は、分割画素５０を行単位で選択する信号、すなわち、走査回路８０から出力される走査信号を画素行毎に伝送する配線である。
【００４８】
信号出力回路７０及び走査回路８０は、信号処理回路１００と接続されている。信号処理回路１００は、表示装置１に入力されたＲＧＢの階調値に基づいて各画素（例えば、画素１０）が有する４つの副画素１５の各々の階調値（後述する、Ｒ１，ＲＧ，ＢＧ，Ｂ１）を演算する。また、信号処理回路１００は、かかる演算結果を各画素の面積階調信号（Ｒｏ，ＲＧｏ，ＢＧｏ，Ｂｏ）として信号出力回路７０に出力する。信号出力回路７０は、面積階調信号（Ｒｏ，ＲＧｏ，ＢＧｏ，Ｂｏ）を含む映像信号を各分割画素５０に伝送する。また、信号処理回路１００は、信号出力回路７０と走査回路８０の動作を同期させるクロック信号を信号出力回路７０及び走査回路８０に出力する。走査回路８０は、信号出力回路７０からの映像信号と同期して分割画素５０を走査する。なお、信号出力回路７０と信号処理回路１００は、例えば図８に示すように、一つのＩＣチップ１４０に含まれる構成であってもよいし、信号出力回路７０と信号処理回路１００とを個別の回路チップとする構成を採用してもよい。図８では、ＩＣチップ１４０等の回路チップが第１基板４１にChip  On  Glass（ＣＯＧ）を用いて設けられているが、これは回路チップの実装の一例であってこれに限られるものでない。回路チップは、例えば、第１基板４１と接続されているフレキシブルプリント基板（ＦＰＣ：Flexible  Printed  Circuits）にChip  On  Film（ＣＯＦ）を用いて設けられていてもよい。
【００４９】
図９は、分割画素５０の概略断面図である。反射電極４０と対向電極２２とは、液晶層３０を挟んで対向している。反射電極４０は、第１基板４１に設けられている。具体的には、第１基板４１には、液晶層３０が位置する一面側に、信号線６１や走査線６２等の配線、配線同士及び配線と電極とを絶縁する絶縁層４２が積層されている。反射電極４０は、絶縁層４２の一面側に形成された膜状の電極である。対向電極２２及びカラーフィルタ２０は、第２基板２１に設けられている。具体的には、第２基板２１は、液晶層３０が位置する一面側にカラーフィルタ２０が設けられている。複数のカラーフィルタ２０同士の間には、ブラックマトリクス２３が設けられている。対向電極２２は、カラーフィルタ２０の一面側に形成された膜状の電極である。
【００５０】
図９に示す分割画素５０は、上記の通り、図２を参照して説明した面積階調による階調表示のために設けられた複数の分割画素５０のうち１つである。
【００５１】
第１基板４１及び第２基板２１は、例えばガラス基板等、光を透過させる基板である。対向電極２２は、例えばＩＴＯ（Indium  Tin  Oxide）等を用いて形成された、光を透過させる電極である。反射電極４０は、例えば薄膜の銀（Ａｇ）又はアルミニウム（Ａｌ）等によるメタル電極であり、外光ＩＬを反射する電極である。反射電極４０における外光ＩＬの反射部位は、鏡面反射を意図した平面であってもよいし、光ＯＬの散乱を意図した凹凸を有する構造であってもよい。
【００５２】
液晶層３０は、図示しないシール材で封止されている。シール材は、第１基板４１と第２基板２１の周縁部を接着して封止する。また、図示しないスペーサによって反射電極４０と対向電極２２の間隔が決定されている。液晶層３０の液晶分子は第１基板４１、第２基板２１に設けられた図示しない配向膜によって初期配向状態が定められている。本実施形態では、初期配向状態においては、分割画素５０は非表示状態である。なお、このように液晶層３０に電界を付与しない初期配向状態で光ＯＬを透過させない状態をノーマリブラックと称する。
【００５３】
図９に示すカラーフィルタ２０が透過させる光のスペクトルのピークは、上記の図２を参照して説明した通り、赤色寄りの緑色のスペクトル、青色寄りの緑色のスペクトル、赤色のスペクトル、青色のスペクトルのいずれかである。
【００５４】
このように、表示装置１は、反射電極４０が設けられた第１基板４１と、カラーフィルタ２０及び透光性電極（対向電極２２）が設けられた第２基板２１と、反射電極４０と透光性電極との間に設けられた液晶層３０を有する。
【００５５】
表示装置１では、メモリ機能を有するいわゆるＭＩＰ（Memory  In  Pixel）方式の分割画素５０が採用されている。ＭＩＰ方式は、データを記憶するメモリを分割画素５０内に持つことにより、メモリ表示モードによる表示とを実現できる。メモリ表示モードとは、分割画素５０内のメモリに記憶されている２値情報（論理“１”／論理“０”）に基づいて、分割画素５０の階調をデジタル的に表示する表示モードである。
【００５６】
図１０は、ＭＩＰ方式を採用した分割画素５０の回路構成の一例を示すブロック図である。図１１は、ＭＩＰ方式を採用した分割画素５０の動作説明に供するタイミングチャートである。図１０に示すように、分割画素５０は、液晶容量（液晶セル）５２に加えて、３個のスイッチング素子５４，５５，５６及びラッチ部５７を有する駆動回路部５８を備える。駆動回路部５８は、ＳＲＡＭ（Static  Random  Access  Memory）機能を備えている。駆動回路部５８を備える分割画素５０は、ＳＲＡＭ機能付きの画素構成となっている。
【００５７】
スイッチング素子５４は、信号線６１に一端が接続されている。スイッチング素子５４は、走査回路８０から走査信号φＶが与えられることによってオン（閉）状態となり、信号出力回路７０から信号線６１を介して供給されるデータＳＩＧを取り込む。ラッチ部５７は、互いに逆向きに並列接続されたインバータ５７１、５７２を有しており、スイッチング素子５４によって取り込まれたデータＳＩＧに応じた電位を保持（ラッチ）する。
【００５８】
スイッチング素子５５，５６の各一方の端子には、コモン電位ＶＣＯＭとは逆相の制御パルスＸＦＲＰ及び同相の制御パルスＦＲＰが与えられる。スイッチング素子５５，５６の各他方の端子は共通に接続され、その共通接続ノードが、出力ノードＮｏｕｔとなる。スイッチング素子５５，５６は、ラッチ部５７の保持電位の極性に応じていずれか一方がオン状態となる。このような動作により、対向電極２２にコモン電位ＶＣＯＭが印加されている液晶容量５２に対して、制御パルスＦＲＰ又は制御パルスＸＦＲＰが反射電極４０に印加される。
【００５９】
ラッチ部５７の保持電位が負側極性の場合、液晶容量５２の画素電位がコモン電位ＶＣＯＭと同相になるため、反射電極４０と対向電極２２との間で電位差が生じない。このため、液晶層３０には電界が発生することはない。従って、この場合、液晶分子は初期配向状態からツイストすることはなく、ノーマリブラックの状態が維持される。この結果、かかる分割画素５０においては、光ＯＬを透過しない（非表示状態）。一方、ラッチ部５７の保持電位が正側極性の場合、液晶容量５２の画素電位がコモン電位ＶＣＯＭと逆相になるため、反射電極４０と対向電極２２との間に電位差が生じ、液晶層３０に電界が発生する。かかる電界によって液晶分子は初期配向状態からツイストして向きを変える。これによって、当該分割画素５０では光ＯＬが透過する（表示状態）。このように、表示装置１は、階調表示に応じた電位を保持する保持部（ラッチ部５７）が複数の分割画素５０の各々に設けられている。
【００６０】
各分割画素５０は、ラッチ部５７の保持電位の極性に応じてスイッチング素子５５，５６のいずれか一方がオン状態となることで、液晶容量５２の反射電極４０に対して、制御パルスＦＲＰ又は制御パルスＸＦＲＰが印加される。これによって、当該分割画素５０の光ＯＬの透過のオン／オフが制御される。
【００６１】
本例では、分割画素５０が内蔵するメモリとしてＳＲＡＭを用いる場合を例に挙げて説明したが、ＳＲＡＭは一例に過ぎず、他のメモリ、例えばＤＲＡＭ（Dynamic  Random  Access  Memory）を用いる構成を採るようにしてもよい。
【００６２】
図１２は、信号処理回路の構成例を示すブロック図である。信号処理回路１００は、第１処理部１１０と、第２処理部１２０と、ルックアップテーブル（ＬＵＴ：Look  Up  Table）１１５とを有する。第１処理部は、入力されたＲＧＢの階調値に基づいて、各画素（例えば、画素１０）が有する４つの副画素１５の各々の階調値（Ｒ１，ＲＧ，ＢＧ，Ｂ１）を特定する。ここで、４つの副画素１５の各々の階調値（Ｒ１，ＲＧ，ＢＧ，Ｂ１）のうち、「ＲＧ」の階調値は、例えば第１レッドグリーンＲＧ１又は後述する第２レッドグリーンＲＧ２、第３レッドグリーンＲＧ３のいずれかの階調値である。すなわち、「ＲＧ」は、第１副画素が有する第１のカラーフィルタが透過させる光のスペクトルのピークに対応する。また、「ＢＧ」の階調値は、例えば第１ブルーグリーンＢＧ１又は後述する第２ブルーグリーンＢＧ２、第３ブルーグリーンＢＧ３のいずれかの階調値である。すなわち、「ＢＧ」は、第２副画素が有する第２のカラーフィルタが透過させる光のスペクトルのピークに対応する。また、「Ｒ１」の階調値は、例えば赤色（Ｒ１）の階調値である。すなわち、「Ｒ１」は、第３副画素が有する第３のカラーフィルタが透過させる光のスペクトルのピークに対応する。また、「Ｂ１」の階調値は、例えば青色（Ｂ１）の階調値である。すなわち、「Ｂ１」は、第４副画素が有する第４のカラーフィルタが透過させる光のスペクトルのピークに対応する。
【００６３】
ＬＵＴ１１５は、ＲＧＢの階調値に対して予め定められた４つの副画素１５の各々の階調値を示す情報を含むテーブルデータである。以下、ＬＵＴ１１５が図２に示す第１副画素１１、第２副画素１２、第３副画素１３及び第４副画素１４の各々の階調値を決定するためのＬＵＴである場合について例示する。第１処理部１１０は、ＬＵＴ１１５を参照して、入力されたＲＧＢの階調値に対応する（Ｒ１，ＲＧ１，ＢＧ１，Ｂ１）を特定する。例えば、図４に示すように、入力されたＲＧＢの階調値が（Ｒ，Ｇ，Ｂ）＝（ｎ，ｎ，ｎ）である場合、第１処理部１１０は、ＬＵＴ１１５を参照して、（Ｒ１，ＲＧ１，ＢＧ１，Ｂ１）＝（ｎ１，ｎ２，ｎ３，ｎ４）を特定する。（ｎ１，ｎ２，ｎ３，ｎ４）は、第１副画素１１、第２副画素１２、第３副画素１３及び第４副画素１４の各々の色で（Ｒ，Ｇ，Ｂ）＝（ｎ，ｎ，ｎ）に対応する色を再現するための階調値である。入力されたＲＧＢの階調値が他の階調値である場合も同様である。入力されたＲＧＢの階調値が（Ｒ，Ｇ，Ｂ）＝（ｎ，０，０）である場合、第１処理部１１０は、（Ｒ１，ＲＧ１，ＢＧ１，Ｂ１）＝（ｎ，０，０，０）を特定する。入力されたＲＧＢの階調値が（Ｒ，Ｇ，Ｂ）＝（０，ｎ，０）である場合、第１処理部１１０は、（Ｒ１，ＲＧ１，ＢＧ１，Ｂ１）＝（０，ｎ５，ｎ６，０）を特定する。入力されたＲＧＢの階調値が（Ｒ，Ｇ，Ｂ）＝（０，０，ｎ）である場合、第１処理部１１０は、（Ｒ１，ＲＧ１，ＢＧ１，Ｂ１）＝（０，ｎ５，ｎ６，０）を特定する。入力されたＲＧＢの階調値が（Ｒ，Ｇ，Ｂ）＝（ｍ，ｍ，０）である場合、第１処理部１１０は、（Ｒ１，ＲＧ１，ＢＧ１，Ｂ１）＝（ｍ１，ｍ２，ｍ３，０）を特定する。入力されたＲＧＢの階調値が（Ｒ，Ｇ，Ｂ）＝（０，ｍ，ｍ）である場合、第１処理部１１０は、（Ｒ１，ＲＧ１，ＢＧ１，Ｂ１）＝（０，ｍ４，ｍ５，ｍ６）を特定する。入力されたＲＧＢの階調値が（Ｒ，Ｇ，Ｂ）＝（ｍ，０，ｍ）である場合、第１処理部１１０は、（Ｒ１，ＲＧ１，ＢＧ１，Ｂ１）＝（ｍ７，０，０，ｍ８）を特定する。
【００６４】
第２処理部１２０は、４つの副画素１５の各々の階調値（Ｒ１，ＲＧ，ＢＧ，Ｂ１）（例えば、（Ｒ１，ＲＧ１，ＢＧ１，Ｂ１））に対応した複数の分割画素５０の各々に対する面積階調信号（Ｒｏ，ＲＧｏ，ＢＧｏ，Ｂｏ）を信号出力回路７０に出力する。例えば、第１処理部１１０が特定した（Ｒ１，ＲＧ１，ＢＧ１，Ｂ１）の各々の色の階調値が８ビットの数値（０〜２５５）であった場合、第２処理部１２０は、当該８ビットの数値をＮビットの階調表示に対応する面積階調信号又は中間階調表示に対応する面積階調信号に変換する。Ｎビットの階調表示について例示すると、Ｎ＝３であった場合、Ｎビットの階調表示を用いた場合の面積階調信号が示す階調（ｕ：０〜７）と８ビットの数値が取り得る階調値（０〜２５５）との対応関係は、
０：０〜３１、
１：３２〜６３、
２：６４〜９５、
３：９６〜１２７、
４：１２８〜１５９、
５：１６０〜１９１、
６：１９２〜２２３、
７：２２４〜２５５のように区分される。
なお、この区分例は、階調値にガンマ補正を施さない０〜１．０までのリニア空間に相当する階調値を前提とした例である。ガンマ補正を施した場合、区分は変わることがある。第２処理部１２０は、このような対応関係に応じて、（Ｒ１，ＲＧ１，ＢＧ１，Ｂ１）をＮビットの階調表示に対応する値の面積階調信号に変換する。Ｎビットの階調表示について例示すると、第２処理部１２０は、（Ｒ１，ＲＧ１，ＢＧ１，Ｂ１）＝（１０，１００，２００，２５５）を、面積階調信号（Ｒｏ，ＲＧｏ，ＢＧｏ，Ｂｏ）＝（０，４，６，７）に変換して信号出力回路７０に出力する。これによって、入力された階調値に対応する面積階調表示が行われる。中間階調表示が用いられる場合、Ｎビットの階調表示を用いた場合よりもさらに細分化した対応関係が採用される。例えば、図７を参照して説明した中間階調表示では、
パターンＬ０１（ｕ＝０）：０〜１５、
パターンＬ０４（ｕ＝０）：１６〜３１、
パターンＬ１１（ｕ＝１）：３２〜４７、
パターンＬ１４（ｕ＝１）：４８〜６３、…のように、Ｎビットの階調表示のみを採用した場合に比して２倍の階調表示を実現することができる。また、図６を参照して説明した中間階調表示では、Ｎビットの階調表示のみを採用した場合に比して３倍の階調表示を実現することができる。
【００６５】
中間階調表示において、第１の組み合わせと第２の組み合わせとの切り替わりパターン（図７参照）を、第１の組み合わせに該当するパターンと第２の組み合わせに該当するパターン（図６参照）の間の階調に対応するパターンとしてもよい。これによって、Ｎビットの階調表示のみを採用した場合に比して４倍以上の階調表示を実現することができる。
【００６６】
図１３は、１つの画素１０Ａが有する副画素１５の形状、大きさ及び位置関係並びに副画素１５の各々が有するカラーフィルタ２０の一例を示す図である。図１４は、１つの画素１０Ｂが有する副画素１５の形状、大きさ及び位置関係並びに副画素１５の各々が有するカラーフィルタ２０の一例を示す図である。表示装置１は、図２に示すような画素１０に代えて、図１３に示すような画素１０Ａ又は図１４に示すような画素１０Ｂを有していてもよい。
【００６７】
図１３に示す画素１０Ａは、第１副画素１１Ａ、第２副画素１２Ａ、第３副画素１３Ａ及び第４副画素１４Ａを有する。第１副画素１１Ａは、第１のカラーフィルタ２０ＲＧ２を有する。第２副画素１２Ａは、第２のカラーフィルタ２０ＢＧ２を有する。第１のカラーフィルタ２０ＲＧ２が透過させる光のスペクトルのピークは、赤色寄りの緑色（第２レッドグリーンＲＧ２）のスペクトルである。第２のカラーフィルタ２０ＢＧ２が透過させる光のスペクトルのピークは、青色寄りの緑色（第２ブルーグリーンＢＧ２）のスペクトルである。第３副画素１３Ａは、図２に示す第３副画素１３と同様、第３のカラーフィルタ２０Ｒ１を有する。第４副画素１４Ａは、図２に示す第４副画素１４と同様、第４のカラーフィルタ２０Ｂ１を有する。第３副画素１３Ａ及び第４副画素１４Ａは、第１副画素１１Ａ及び第２副画素１２Ａよりも大きい。また、第１副画素１１Ａと第２副画素１２Ａを足し合わせた大きさは、第３副画素１３Ａ及び第４副画素１４Ａの大きさ以上である。また、第４副画素１４Ａは、第３副画素１３Ａよりも大きい。また、第２副画素１２Ａは、第１副画素１１Ａよりも大きい。例えば、第１副画素１１Ａと第２副画素１２Ａと第３副画素１３Ａと第４副画素１４Ａの面積比をＥ：Ｆ：Ｇ：Ｈで表すと、０．６５≦Ｅ＜Ｆ＜１．０，１．０≦Ｇ＜Ｈ，Ｈ＜１．７である。なお、図１３に示す例では、さらにＥ：Ｆ＝Ｇ：Ｈの関係が成立しているが、Ｅ：ＦとＧ：Ｈは異なる比率であってもよい。Ｅ：Ｆ＝Ｇ：Ｈの関係が成立している構成では、カラーフィルタ２０が異なる副画素１５同士の境界に対応する位置に信号線６１、走査線６２（図８参照）を設けることが容易になる。図１３では、小数点第４位を丸めた凡その比率がＥ：Ｆ：Ｇ：Ｈ＝０．６６９：０．８１９：１．１３０：１．３８２となる場合を例示している。この場合、第１副画素１１と第２副画素１２を足し合わせた大きさは、第３副画素１３及び第４副画素１４の大きさ以上である。図１３に示す画素１０Ａによる色再現は、図４を参照した説明における第１副画素１１、第２副画素１２、第３副画素１３、第４副画素１４をそれぞれ、第１副画素１１Ａ、第２副画素１２Ａ、第３副画素１３Ａ、第４副画素１４Ａと読み替えることで説明することができる。
【００６８】
図１４に示す画素１０Ｂは、第１副画素１１Ｂ、第２副画素１２Ｂ、第３副画素１３Ｂ及び第４副画素１４Ｂを有する。第１副画素１１Ｂは、第１のカラーフィルタ２０ＲＧ３を有する。第２副画素１２Ｂは、第２のカラーフィルタ２０ＢＧ３を有する。第１のカラーフィルタ２０ＲＧ３が透過させる光のスペクトルのピークは、赤色寄りの緑色（第３レッドグリーンＲＧ３）のスペクトルである。第２のカラーフィルタ２０ＢＧ３が透過させる光のスペクトルのピークは、青色寄りの緑色（第３ブルーグリーンＢＧ３）のスペクトルである。第３副画素１３Ｂは、図２に示す第３副画素１３と同様、第３のカラーフィルタ２０Ｒ１を有する。第４副画素１４Ｂは、図２に示す第４副画素１４と同様、第４のカラーフィルタ２０Ｂ１を有する。図１４示す画素１０Ｂによる色再現は、図４を参照した説明における第１副画素１１、第２副画素１２、第３副画素１３、第４副画素１４をそれぞれ、第１副画素１１Ｂ、第２副画素１２Ｂ、第３副画素１３Ｂ、第４副画素１４Ｂと読み替えることで説明することができる。
【００６９】
第３副画素１３Ｂ及び第４副画素１４Ｂは、第１副画素１１Ｂ及び第２副画素１２Ｂよりも大きい。また、第１副画素１１Ｂと第２副画素１２Ｂを足し合わせた大きさは、第３副画素１３Ｂの大きさ以上である。また、第４副画素１４Ｂは、第３副画素１３Ｂよりも大きい。また、第１副画素１１Ｂと第２副画素１２Ｂの大きさは同じである。例えば、第１副画素１１Ｂと第２副画素１２Ｂと第３副画素１３Ｂと第４副画素１４Ｂの面積比をＩ：Ｊ：Ｋ：Ｌで表すと、０．６５≦Ｉ＝Ｊ＜１．０，１．０≦Ｋ＜Ｌ，Ｌ＝４−（Ｉ＋Ｊ＋Ｋ），Ｌ≦１．７である。図１４では、Ｉ：Ｊ：Ｋ：Ｌ＝０．７４４：０．７４４：１．１３０：１．３８２である場合を例示している。この場合、第１副画素１１Ｂと第２副画素１２Ｂを足し合わせた大きさは、第３副画素１３Ｂ及び第４副画素１４Ｂの大きさ以上である。
【００７０】
図１５は、表示装置によって再現される黄色と、カラーフィルタ２０が透過させる光のスペクトルのピークとの対応関係を示す模式的な色度図である。表示装置に求められる所定の輝度及び彩度の黄色Ｙに対して、従来の表示装置が有する従来の赤色（Ｒ）、従来の緑色（Ｇ）、従来の青色（Ｂ）の３色の副画素で再現可能な色を示す色空間が、図１５におけるＲ，Ｇ，Ｂの３つの頂点を有する実線の三角形で表されるとする。このような従来の表示装置では、黄色Ｙを再現することができない。すなわち、従来の表示装置で再現可能な黄色の輝度及び彩度は、白色点（Ｗ）に対して従来の赤色（Ｒ）と従来の緑色（Ｇ）を結ぶ直線上の輝度及び彩度を超えることができず、黄色Ｙを再現するためには輝度及び彩度の少なくとも一方が不足する。仮に、従来の表示装置が、従来の赤色（Ｒ）、従来の緑色（Ｇ）、従来の青色（Ｂ）に白色（Ｗ）を加えた４色の副画素を有していたとしても、白色（Ｗ）の副画素で黄色Ｙの彩度を高めることは困難である。
【００７１】
仮に、従来のように３色の副画素で黄色Ｙを再現しようとすると、従来の赤色（Ｒ）と従来の緑色（Ｇ）を、黄色Ｙが再現可能な赤色（例えば、Ｒ１）と緑色（例えば、Ｇ１）にシフトさせなければならない。しかしながら、単に黄色Ｙに合わせて従来の赤色（Ｒ）と従来の緑色（Ｇ）を黄色Ｙが再現可能な赤色（例えば、Ｒ１）と緑色（例えば、Ｇ１）にシフトさせると、白色点（Ｗ）が黄色Ｙ寄りにシフトしてしまう。すなわち、従来の表示装置では、黄色Ｙに合わせて赤色（例えば、Ｒ１）と緑色（例えば、Ｇ１）を設定すると、全ての副画素を点灯した場合の再現色が全体的に黄色を帯びることになり、色再現性が変化してしまう。図１５では、模式的に、黄色Ｙ寄りにシフトする前の白色点（Ｗ）を黒点で示している。また、黄色Ｙ寄りにシフトした後の白色点を、符号Ｗ１が付された破線の丸で示している。また、黄色Ｙに合わせて赤色（例えば、Ｒ１）と緑色（例えば、Ｇ１）を設定するということは、これらの色をより濃くするということであり、カラーフィルタ２０の光の透過効率が低くなり、輝度が下がる。すなわち、視感度が低くなり、暗い黄色になってしまう。
【００７２】
また、従来の表示装置が有する画素に黄色の副画素を追加することで黄色Ｙに対応した輝度及び彩度を確保しようとしたとしても、やはり、全ての副画素を点灯した場合の再現色が全体的に黄色を帯びることになり、色再現性が変化してしまう。
【００７３】
これに対し、図１４に示す例では、第２副画素１２Ｂが第２のカラーフィルタ２０ＢＧ３を有する。第２のカラーフィルタ２０ＢＧ３が透過させる光のスペクトルのピークは、青色寄りの緑色（第１ブルーグリーンＢＧ３）のスペクトルである。また、第４のカラーフィルタ２０Ｂ１が透過させる光のスペクトルのピークは、青色（青色Ｂ１）のスペクトルである。このため、第２副画素１２Ｂと第４副画素１４Ｂで青色成分を確保することで、白色点（Ｗ）が黄色Ｙ寄りにシフトすることを抑制することができる。また、第１副画素１１Ｂと、第２副画素１２Ｂと、第３副画素１３Ｂとの組み合わせで黄色を再現する。すなわち、第３レッドグリーンＲＧ３と第３ブルーグリーンＢＧ３と赤色Ｒ１との合成色が黄色Ｙとなるように、第１のカラーフィルタ２０ＲＧ３、第２のカラーフィルタ２０ＢＧ３及び第３のカラーフィルタ２０Ｒ１がそれぞれ透過させる光のスペクトルのピークが設定されている。これによって、１つの画素１０Ｂが有する４つの副画素１５のうち、３つの副画素１５を用いて黄色Ｙを再現することができる。従って、従来の赤色（Ｒ）、従来の緑色（Ｇ）、従来の青色（Ｂ）の３色の副画素のうち２色（ＲＧ）を用いる場合に比して、黄色Ｙの再現のために用いる副画素１５の領域をより大きくしやすくなる。すなわち、図１４に示す例によれば、１つの画素１０Ｂが有する表示領域のうち第１副画素１１Ｂと第２副画素１２Ｂと第３副画素１３Ｂを合わせたより広いカラーフィルタ２０及び反射電極４０を黄色Ｙの再現に割り当てやすくなるため、黄色Ｙの輝度及び彩度をより確実に得られる。また、シアンの輝度及び彩度もより高まる。また、白色（Ｗ）の副画素を有する構成に比して赤色（Ｒ１）に対応する第３のカラーフィルタ２０Ｒ１を有する第３副画素１３Ｂをより大きくしやすくなり、原色の再現性をより高めやすくなる。
【００７４】
また、透過させる光のスペクトルのピークが赤色寄りの緑色（例えば、第３レッドグリーンＲＧ３）である第１のカラーフィルタ２０ＲＧ３による光の透過効率は、非常に高くしやすい。このため、第１のカラーフィルタ２０ＲＧ３を有する第１副画素１１Ｂを黄色Ｙの再現に用いることで、視感度のより高い黄色Ｙの輝度及び彩度をより確実に得られる。
【００７５】
なお、本実施形態の表示装置１のように反射電極４０を有する表示装置では、反射電極４０による光ＯＬの反射率及びコントラストは一定である。一方、表示装置が出力する画像の色の見栄えは、外光ＩＬの光源色、照度に依存する。このため、例えば明るい環境下で得られる外光ＩＬであれば非常に見栄えが良くなりやすい。一方、暗い環境で得られる外光ＩＬでは視認性を確保することが比較的困難になる。また、カラーフィルタ２０は、透過させる光のスペクトルのピークに関わらず完全に外光ＩＬを透過させるものでなく、少なくとも外光ＩＬの一部分を吸収する。また、カラーフィルタ２０により再現色を濃くしようとすると、外光ＩＬのうち吸収される割合を高めてしまうことになる。従って、光ＯＬで画像を出力する表示装置では、カラーフィルタ２０が透過させる光のスペクトルのピークの設定と、それぞれピークが異なるカラーフィルタ２０の面積比率によって彩度と輝度のバランスを取る必要がある。言い換えれば、光ＯＬで画像を出力する表示装置では、光源を任意に選択、調整できる他の形態の表示装置では可能な、光源の調整による色及び輝度の調整が極めて困難である。このような前提を有する表示装置であっても、本実施形態によれば、黄色Ｙの輝度及び彩度をより確実に得られる。
【００７６】
図１４に示す例では、求められる白色点Ｗ及び黄色Ｙの輝度及び彩度に応じて、第１のカラーフィルタ２０ＲＧ３、第２のカラーフィルタ２０ＢＧ３、第３のカラーフィルタ２０Ｒ１、第４のカラーフィルタ２０Ｂ１の面積比と、第３レッドグリーンＲＧ３、第３ブルーグリーンＢＧ３、赤色Ｒ１、青色Ｂ１のスペクトルとが決定されている。なお、図１５では、本実施形態の青色Ｂ１と従来の青色（Ｂ）が同一であるが、異なっていてもよい。また、図１５では、本実施形態の赤色Ｒ１と従来の赤色（Ｒ）が同一であるが、異なっていてもよい。また、図１５では、第３レッドグリーンＲＧ３と第３ブルーグリーンＢＧ３との組み合わせで従来の緑色（Ｇ）が再現されるようになっているが、第３レッドグリーンＲＧ３と第３ブルーグリーンＢＧ３との組み合わせで再現される緑色は従来の緑色（Ｇ）と異なってもよい。
【００７７】
図１６は、実施例と比較例の色再現性をＬ＊ａ＊ｂ＊色空間で表した場合の一例を示す図である。なお、図１６におけるＳＮＡＰは、Specifications  for  Newsprint  Advertising  Productionで規定されている黄色、緑色、シアン、青色、マゼンタ、赤色を示す。また、比較例としての表示装置は、従来の赤色（Ｒ）、従来の緑色（Ｇ）、従来の青色（Ｂ）に白色（Ｗ）を加えた４色の副画素を有する所謂ＲＧＢＷの反射型表示装置である。図１〜図１５を参照して説明した実施例による表示装置（例えば、表示装置１）は、比較例で再現可能な黄色ＯＹに比して、より明るく鮮やかな黄色Ｙを再現することができる。特に、広告の表示等で求められる明るく鮮やかな黄色として、表示装置１は、黄色Ｙを再現することで需要に応じることが可能となる。
【００７８】
図１７は、１つの画素１０，１０Ａ，１０Ｂが有する副画素１５同士の面積比率に応じた赤色寄りの緑色及び青色寄りの緑色の決定方法をｓＲＧＢ色空間内で説明している模式図である。図１７では、第３レッドグリーンＲＧ３と第３ブルーグリーンＢＧ３との合成色である緑色Ｇと白色点Ｗとを結ぶ一点鎖線ＧＬに対して、色相角がプラス方向である黄色側に破線ＰＬを記載している。また、図１７では、一点鎖線ＧＬに対して、色相角がマイナス方向であるシアン側に破線ＭＬを記載している。
【００７９】
図１３に示す画素１０Ａが有する第１副画素１１Ａは、図１４に示す画素１０Ｂが有する第１副画素１１Ｂよりも小さい。また、図１３に示す画素１０Ａが有する第２副画素１２Ａは、図１４に示す画素１０Ｂが有する第２副画素１２Ｂよりも大きい。仮に、第１副画素１１Ａと第２副画素１２Ａのカラーフィルタ２０を第１副画素１１Ｂと第２副画素１２Ｂのカラーフィルタ２０と同じにすると、画素１０Ａと画素１０Ｂとで色成分と面積の関係が異なるものになる。具体的には、第１副画素１１Ｂに比して第１副画素１１Ａが相対的に小さい分だけ赤色成分に割り当てられる面積が減り、第２副画素１２Ｂに比して第２副画素１２Ａが相対的に大きい分だけ青色成分に割り当てられる面積が増えることになる。そこで、図１７に示すように、第１副画素１１Ａが有する第１のカラーフィルタ２０ＲＧ２が透過させる光のスペクトルのピークに対応する第２レッドグリーンＲＧ２の色相角を、第１副画素１１Ｂが有する第１のカラーフィルタ２０ＲＧ３が透過させる光のスペクトルのピークに対応する第３レッドグリーンＲＧ３の色相角に比してプラス側にしている。また、第２副画素１２Ａが有する第２のカラーフィルタ２０ＢＧ２が透過させる光のスペクトルのピークに対応する第２ブルーグリーンＢＧ２の色相角を、第２副画素１２Ｂが有する第２のカラーフィルタ２０ＢＧ３が透過させる光のスペクトルのピークに対応する第３ブルーグリーンＢＧ３の色相角に比してプラス側にしている。これによって、画素１０Ａでも、求められる黄色Ｙ及び白色点Ｗ並びに緑色Ｇを、画素１０Ｂと同等にすることができる。
【００８０】
図１４に示す画素１０が有する第３副画素１３は、図１４に示す画素１０Ｂが有する第３副画素１３Ｂよりも大きい。また、図１４に示す画素１０が有する第４副画素１４は、図１４に示す画素１０Ｂが有する第４副画素１４Ｂよりも小さい。仮に、第１副画素１１と第２副画素１２のカラーフィルタ２０を第１副画素１１Ｂと第２副画素１２Ｂのカラーフィルタ２０と同じにすると、第３副画素１３が相対的に大きくなった分だけ赤色成分に割り当てられる面積が増え、第４副画素１４が相対的に小さくなった分だけ青色成分に割り当てられる面積が減ることになる。そこで、図１７に示すように、第１副画素１１が有する第１のカラーフィルタ２０ＲＧ１が透過させる光のスペクトルのピークに対応する第１レッドグリーンＲＧ１の色相角を、第１副画素１１Ｂが有する第１のカラーフィルタ２０ＲＧ３が透過させる光のスペクトルのピークに対応する第３レッドグリーンＲＧ３の色相角に比してマイナス側にしている。また、第２副画素１２が有する第２のカラーフィルタ２０ＢＧ１が透過させる光のスペクトルのピークに対応する第１ブルーグリーンＢＧ１の色相角を、第２副画素１２Ｂが有する第２のカラーフィルタ２０ＢＧ３が透過させる光のスペクトルのピークに対応する第３ブルーグリーンＢＧ３の色相角に比してマイナス側にしている。これによって、画素１０でも、求められる黄色Ｙ及び白色点Ｗ並びに緑色Ｇを、画素１０Ｂと同等にすることができる。
【００８１】
第１レッドグリーンＲＧ１、第２レッドグリーンＲＧ２及び第３レッドグリーンＲＧ３の色相は、緑色Ｇに対してプラス側の色相であり、赤色Ｒ１に対してマイナス側の色相である。第１ブルーグリーンＢＧ１、第２ブルーグリーンＢＧ２及び第３ブルーグリーンＢＧ３の色相は、緑色Ｇに対してマイナス側の色相であり、青色Ｂ１に対してプラス側の色相である。
【００８２】
図２、図１３及び図１４に例示するように、表示装置１は、１つの画素１０，１０Ａ，１０Ｂが有する４つの副画素１５の面積は、２種類以上ある。また、視感度が相対的に高いカラーフィルタ２０を有する副画素１５の大きさは、視感度が相対的に低いカラーフィルタ２０を有する副画素１５の大きさ以下である。具体的には、第１のカラーフィルタ２０ＲＧ１は、第２のカラーフィルタ２０ＢＧ１よりも視感度が相対的に高い。また、第１のカラーフィルタ２０ＲＧ２は、第２のカラーフィルタ２０ＢＧ２よりも視感度が相対的に高い。また、第１のカラーフィルタ２０ＲＧ３は、第２のカラーフィルタ２０ＢＧ３よりも視感度が相対的に高い。また、第１レッドグリーンＲＧ１、第２レッドグリーンＲＧ２及び第３レッドグリーンＲＧ３並びに第１ブルーグリーンＢＧ１、第２ブルーグリーンＢＧ２及び第３ブルーグリーンＢＧ３は、赤色Ｒ１よりも視感度が相対的に高い。また、赤色Ｒ１は、青色Ｂ１よりも視感度が相対的に高い。
【００８３】
また、本実施形態の表示装置１は、第４のカラーフィルタ２０Ｂ１を有する第４副画素（例えば、第４副画素１４等）以外の３つの副画素１５を黄色の再現に用いる。なお、黄色Ｙの再現に用いられる３つの副画素１５を全て合わせた場合の面積は、第４副画素の面積の２倍以上であってもよい。また、階調値に関わらず黄色の再現に第４副画素以外の３つの副画素を用いてもよいし、予め定められた階調値以上の黄色の再現に第４副画素以外の３つの副画素を用いてもよい。予め定められた階調値以上の黄色とは、相対的に高めの輝度及び彩度が求められる黄色であり、所定の中間調を超える黄色である。この場合、中間調以下の黄色の再現では、第１副画素（例えば、第１副画素１１等）と第３副画素（例えば、第３副画素１３等）が用いられる。
【００８４】
また、相対的に視感度が高い２つの副画素１５は、Ｘ方向又はＹ方向に隣接している。例えば、図２における第１副画素１１と第２副画素１２は、隣接している。また、図１３における第１副画素１１Ａと第２副画素１２Ａは、隣接している。また、図１４における第１副画素１１Ｂと第２副画素１２Ｂは、隣接している。
【００８５】
ここで、１つの副画素１５が有するカラーフィルタ２０が透過させる光ＯＬの色相を基準とする。１つの副画素１５と並ぶ２つの副画素１５は、残り１つの副画素１５よりも基準に近い色相の光ＯＬを透過させる。なお、副画素１５の並び方向は、Ｘ方向又はＹ方向である。例えば、図２に示す第２副画素１２の色相（第１ブルーグリーンＢＧ１）及び第３副画素１３の色相（赤色Ｒ１）は、第１副画素１１に対して斜め方向に位置する第４副画素１４の色相（青色Ｂ１）に比して、第１副画素１１の色相（第１レッドグリーンＲＧ１）に近い。また、第２副画素１２の色相（第１ブルーグリーンＢＧ１）及び第３副画素１３の色相（赤色Ｒ１）は、第４副画素１４に対して斜め方向に位置する第１副画素１１の色相（第１レッドグリーンＲＧ１）に比して、第４副画素１４の色相（青色Ｂ１）に近い。また、第１副画素１１の色相（第１レッドグリーンＲＧ１）及び第４副画素１４の色相（青色Ｂ１）は、第２副画素１２に対して斜め方向に位置する第３副画素１３の色相（赤色Ｒ１）に比して、第２副画素１２の色相（第１ブルーグリーンＢＧ１）に近い。斜め方向は、Ｘ−Ｙ平面に沿い、かつ、Ｘ方向及びＹ方向に交差する方向である。また、第１副画素１１の色相（第１レッドグリーンＲＧ１）及び第４副画素１４の色相（青色Ｂ１）は、第３副画素１３に対して斜め方向に位置する第２副画素１２の色相（第１ブルーグリーンＢＧ１）に比して、第３副画素１３の色相（赤色Ｒ１）に近い。図１３における副画素１５同士の色相の関係についても、図２を参照した説明における第１副画素１１、第２副画素１２、第３副画素１３、第４副画素１４をそれぞれ、第１副画素１１Ａ、第２副画素１２Ａ、第３副画素１３Ａ、第４副画素１４Ａと読み替えることで説明することができる。図１４における副画素１５同士の色相の関係についても、図２を参照した説明における第１副画素１１、第２副画素１２、第３副画素１３、第４副画素１４をそれぞれ、第１副画素１１Ｂ、第２副画素１２Ｂ、第３副画素１３Ｂ、第４副画素１４Ｂと読み替えることで説明することができる。
【００８６】
以上、図２、図１３〜図１７を参照して副画素１５の面積とカラーフィルタ２０が透過させる色のスペクトルのピークとの関係等に関して説明し、分割画素５０に関する説明を省略したが、実際には、図１３及び図１４に示す副画素１５は、複数の分割画素５０を有する。
【００８７】
図１８は、面積階調のために図１４に示す副画素１５を複数の面積領域に区分けした場合の別の一例を示す図である。画素１０Ｃは、第１副画素１１Ｃ、第２副画素１２Ｃ、第３副画素１３Ｃ及び第４副画素１４Ｃを有する。第１のカラーフィルタ２０ＲＧ３が設けられた第１副画素１１Ｃは、第１分割画素１１４、第２分割画素１１５及び第３分割画素１１６のように、複数の分割画素５０を有する。第１分割画素１１４と第２分割画素１１５と第３分割画素１１６の面積比は、例えば１：２：４である。また、第２のカラーフィルタ２０ＢＧ３が設けられた第２副画素１２Ｃは、第１分割画素１２４、第２分割画素１２５及び第３分割画素１２６を有する。また、第３のカラーフィルタ２０Ｒ１が設けられた第３副画素１３Ｃは、第１分割画素１３４、第２分割画素１３５及び第３分割画素１３６を有する。また、第４のカラーフィルタ２０Ｂ１が設けられた第４副画素１４Ｃは、第１分割画素１４４、第２分割画素１４５及び第３分割画素１４６を有する。第１副画素１１Ｃと第２副画素１２Ｃと第３副画素１３Ｃと第４副画素１４Ｃの面積比は、第１副画素１１Ｂと第２副画素１２Ｂと第３副画素１３Ｂと第４副画素１４Ｂの面積比と同様である。図示しないが、図１３に示す副画素１５についても同様に複数の分割画素５０を有する構成とすることができる。
【００８８】
また、副画素１５の形状及び位置関係は、図２、図１３、図１４に示す例に限られるものでない。図１９は、面積階調のために副画素１５を複数の面積領域に区分けした場合の別の一例を示す図である。副画素１５の形状及び配置は、図２、図１３、図１４、図１８に例示するものに限られず、適宜変更可能である。例えば図１９に示すように、画素１０Ｄは、Ｘ方向の一端側から第３副画素１３Ｄ、第１副画素１１Ｄ、第２副画素１２Ｄ、第４副画素１４Ｄの順で並ぶストライプ状の副画素１５を有する。第１のカラーフィルタ２０ＲＧ１が設けられた第１副画素１１Ｄは、第１分割画素１１ａ、第２分割画素１１ｂ及び第３分割画素１１ｃのように、複数の分割画素５０を有する。第１分割画素１１ａと第２分割画素１１ｂと第３分割画素１１ｃの面積比は、例えば１：２：４である。第１分割画素１１ａ、第２分割画素１１ｂ、第３分割画素１１ｃの各々の状態（表示状態又は非表示状態）の組み合わせによって、第１副画素１１Ｄは、３ビット（８階調）以上の階調性を有する。また、第２のカラーフィルタ２０ＢＧ１が設けられた第２副画素１２Ｄは、第１分割画素１２ａ、第２分割画素１２ｂ及び第３分割画素１２ｃのように、複数の分割画素５０を有する。また、第３のカラーフィルタ２０Ｒ１が設けられた第３副画素１３Ｄは、第１分割画素１３ａ、第２分割画素１３ｂ及び第３分割画素１３ｃのように、複数の分割画素５０を有する。また、第４のカラーフィルタ２０Ｂ１が設けられた第４副画素１４Ｄは、第１分割画素１４ａ、第２分割画素１４ｂ及び第３分割画素１４ｃのように、複数の分割画素５０を有する。第２副画素１２Ｄ、第３副画素１３Ｄ及び第４副画素１４Ｄは、第１副画素１１Ｄと同様の仕組みで面積階調を実現する。
【００８９】
図１９では、第１副画素１１Ｄ、第２副画素１２Ｄ、第３副画素１３Ｄ、第４副画素１４Ｄの面積比が図２の第１副画素１１、第２副画素１２、第３副画素１３、第４副画素１４と同様である場合を例示しているが、これに限られるものでない。図１９のようなストライプ状の副画素１５の面積比率を、図１３又は図１４を参照して説明した副画素１５の面積比率と同様にしてもよい。また、図２のようなストライプ状の副画素１５では、基準となる１つの副画素１５と隣り合う２つ副画素１５の色相を、残り１つの副画素１５よりも近い色相にすることが望ましい。図２に示す例の場合、基準となる１つの副画素１５は、第１副画素１１Ｄ又は第２副画素１２Ｄである。
【００９０】
図２０は、複数の表示装置１Ａ，１Ｂが並べられた場合の外光ＩＬと、反射光ＯＬ１，ＯＬ２，ＯＬ３，ＯＬ４と、ユーザの視点Ｈ１，Ｈ２との関係の一例を示す模式図である。複数の表示装置１Ａ，１Ｂはそれぞれ、本実施形態による表示装置（例えば、表示装置１）である。反射光ＯＬ１，ＯＬ２，ＯＬ３，ＯＬ４は、それぞれ出射角度が異なる光ＯＬである。例えば図２０に示すように、複数の表示装置１Ａ，１Ｂが並べられた場合、表示装置１Ａ，１Ｂに対する入射光ＩＬの入射角度が同じであっても、あるユーザの視点Ｈ１に対する表示装置１Ａからの反射光ＯＬ１と、表示装置１Ｂからの反射光ＯＬ２のように、それぞれの表示装置１Ａ，１Ｂから出射角度が異なる光ＯＬが視認されることがある。また、ユーザの視点Ｈ１とユーザの視点Ｈ２のどちらを想定するかによって、ユーザに視認される表示装置１Ａからの光ＯＬが反射光ＯＬ１と反射光ＯＬ２のいずれになるかが変わる。同様に、ユーザの視点Ｈ１とユーザの視点Ｈ２のどちらを想定するかによって、表示装置１Ｂからの光ＯＬが反射光ＯＬ３と反射光ＯＬ４のいずれになるかが変わる。このように、ユーザに視認される光ＯＬの出射角度は、表示装置１Ａ，１Ｂの設置条件、想定するユーザの視点等の諸条件に応じて変わり得る。そこで、本発明の特徴を逸脱しない範囲で、表示装置１Ａと表示装置１Ｂとを異ならせてもよい。例えば、表示装置１Ａ，１Ｂのいずれか一方を図２、図１３、図１４のいずれか１つに示すような４つの副画素１５の面積比率とし、他方を図２、図１３、図１４の他の１つに示すような４つの副画素１５の面積比率としてもよい。また、表示装置１ＡのＬＵＴ１１５における入力（ＲＧＢの階調値）と（Ｒ１，ＲＧ，ＢＧ，Ｂ１）との対応関係と、表示装置１ＢのＬＵＴ１１５における入力（ＲＧＢの階調値）と（Ｒ１，ＲＧ，ＢＧ，Ｂ１）との対応関係とを異ならせてもよい。
【００９１】
以上説明したように、本実施形態によれば、Ｎビットの階調表示に中間階調表示が加わることによって、より高い階調性を得られる。
【００９２】
また、中間階調表示が第１の組み合わせと第２の組み合わせとを含むことで、Ｎビットの階調表示のみを用いた場合に比して３倍以上の階調性を得られる。
【００９３】
また、中間階調表示が第１の組み合わせと第２の組み合わせとが周期的に切り替わるパターンとを含むことで、Ｎビットの階調表示のみを用いた場合に比して２倍以上の階調性を得られる。
【００９４】
また、Ｎビットの階調表示のうち所定階調以上の範囲の階調表示に中間階調表示を用いるようにすることで、第１の組み合わせと第２の組み合わせとの間の色の差異が視認される可能性をより低減することができる。また、第１の組み合わせと第２の組み合わせとが切り替わるパターンでは、複数の分割画素５０のうち最も大きい分割画素５０が表示状態と非表示状態とを切り替えられることによる比較的大きな輝度の変動を抑制することができる。このため、第１の組み合わせと第２の組み合わせとの切り替わりパターンにおける周期的な輝度の変動が視認される可能性をより低減することができる。
【００９５】
また、反射型の表示装置において、第３副画素及び第４副画素は、第１副画素及び第２副画素よりも大きい。また、第１副画素と第２副画素を足し合わせた大きさは、第３副画素及び第４副画素の大きさ以上である。また、第１副画素ピークが赤色寄りの緑色のスペクトルである第３のカラーフィルタを有する。また、第２副画素は、ピークが青色寄りの緑色のスペクトルである第４のカラーフィルタを有する。また、第３副画素は、ピークが赤色のスペクトルである第１のカラーフィルタを有する。また、第４副画素は、ピークが青色のスペクトルである第２のカラーフィルタを有する。これによって、黄色の輝度及び彩度をより高めることができ、求められる黄色（例えば、黄色Ｙ）の輝度及び彩度を得られる。
【００９６】
また、第４副画素を第３副画素よりも大きくすることで、第１副画素及び第２副画素が有するカラーフィルタが透過させる光のスペクトルの色相をよりプラス側にすることができる。このため、第１副画素及び第２副画素が有するカラーフィルタの視感度をより高めやすくなる。従って、黄色の輝度及び彩度をより高めることができ、求められる黄色（例えば、黄色Ｙ）の輝度及び彩度をより確実に得られる。
【００９７】
また、第２副画素を第１副画素よりも大きくすることで、第１副画素が有するカラーフィルタが透過させる光のスペクトルの色相をよりプラス側にすることができる。このため、第１副画素が有するカラーフィルタの視感度をより高めやすくなる。従って、黄色の輝度及び彩度をより高めることができ、求められる黄色（例えば、黄色Ｙ）の輝度及び彩度をより確実に得られる。
【００９８】
また、第１副画素と、第２副画素と、第３副画素との組み合わせで黄色を再現する。これによって、１つの画素が有する表示領域のうち第１副画素と第２副画素と第３副画素を合わせたより広いカラーフィルタ及び反射電極を黄色の再現に割り当てることができる。従って、求められる黄色（例えば、黄色Ｙ）の輝度及び彩度をより確実に得られる。
【００９９】
また、第１副画素と、第２副画素との組み合わせで緑色を再現する。これによって、１つの画素が有する表示領域のうち第１副画素と第２副画素を合わせたより広いカラーフィルタ及び反射電極を緑色の再現に割り当てることができる。
【０１００】
また、第１副画素と第２副画素は隣接している。これによって、緑色をよりむらなく再現することができる。
【０１０１】
また、複数の分割画素５０による面積階調を行うことで、より低消費電力で動作可能な表示装置を提供することができる。
【０１０２】
また、階調表示に応じた電位を保持する保持部が複数の分割画素５０の各々に設けられていることで、表示装置の消費電力をより低減することができる。
【０１０３】
また、本発明は反射型の表示装置に限らず、透過型の液晶表示装置、電気泳動型の表示装置（Ｅペーパー）、有機発光ダイオード（Organic  Light  Emitting  Diode：ＯＬＥＤ）を用いた表示装置への適用も可能である。
【０１０４】
本実施形態において述べた態様によりもたらされる他の作用効果について本明細書記載から明らかなもの、又は当業者において適宜想到し得るものについては、当然に本発明によりもたらされるものと解される。
【符号の説明】
【０１０５】
１０，１０Ａ，１０Ｂ，１０Ｃ，１０Ｄ  画素
１１，１１Ａ，１１Ｂ，１１Ｃ，１１Ｄ  第１副画素
１２，１２Ａ，１２Ｂ，１２Ｃ，１２Ｄ  第２副画素
１３，１３Ａ，１３Ｂ，１３Ｃ，１３Ｄ  第３副画素
１４，１４Ａ，１４Ｂ，１４Ｃ，１４Ｄ  第４副画素
１５  副画素
２０  カラーフィルタ
２０ＲＧ１，２０ＲＧ２，２０ＲＧ３  第１のカラーフィルタ
２０ＢＧ１，２０ＢＧ２，２０ＢＧ３  第２のカラーフィルタ
２０Ｒ１  第３のカラーフィルタ
２０Ｂ１  第４のカラーフィルタ
２１  第２基板
２２  対向電極
３０  液晶層
４０  反射電極
４１  第１基板
５０  分割画素
５４，５５，５６  スイッチング素子
５７  ラッチ部
５８  駆動回路部
６１  信号線
６２  走査線
７０  信号出力回路
８０  走査回路
９１  偏光板
９２  散乱層
１００  信号処理回路
１１０  第１処理部
１１５  ＬＵＴ
１２０  第２処理部
ＲＧ１  第１レッドグリーン
ＲＧ２  第２レッドグリーン
ＲＧ３  第３レッドグリーン
ＢＧ１  第１ブルーグリーン
ＢＧ２  第２ブルーグリーン
ＢＧ３  第３ブルーグリーン
Ｒ１  赤色
Ｂ１  青色
【図１】
2019078848.tif 000003
【図２】
2019078848.tif 000004
【図３】
2019078848.tif 000005
【図４】
2019078848.tif 000006
【図５】
2019078848.tif 000007
【図６】
2019078848.tif 000008
【図７】
2019078848.tif 000009
【図８】
2019078848.tif 000010
【図９】
2019078848.tif 000011
【図１０】
2019078848.tif 000012
【図１１】
2019078848.tif 000013
【図１２】
2019078848.tif 000014
【図１３】
2019078848.tif 000015
【図１４】
2019078848.tif 000016
【図１５】
2019078848.tif 000017
【図１６】
2019078848.tif 000018
【図１７】
2019078848.tif 000019
【図１８】
2019078848.tif 000020
【図１９】
2019078848.tif 000021
【図２０】
2019078848.tif 000022